(57)【要約】【課題】ヒータのばらつきや電源電圧のばらつきによって発熱量が変化し、同一炊飯量であっても誤った炊飯量を判定してしまう。【解決手段】ヒータ２に流れる電流を検知する電流検知部６と、電流検知部６で検知した電流値を記憶する記憶手段７と、炊飯器の動作を制御する炊飯制御部５と、ヒータで加熱される鍋の温度を検知する温度検知手段３を備え、加熱時の鍋の温度上昇にかかる時間を元に炊飯量の判定を行う炊飯器において、予め正確な定格電圧を印加した時に流れるヒータ電流値を記憶し、その記憶した電流値と実際に炊飯中に流れるヒータ電流値とを比較し、鍋の温度上昇にかかった時間から炊飯量の判定を行う時にヒータ電流値の比較結果に基づいて補正を行うことで、炊飯量を正確に判断することができる。【選択図】図１
2013255542.tif 000002
【特許請求の範囲】
【請求項１】
ヒータに流れる電流を検知する電流検知手段と、電流検知手段で検知した電流値を記憶する記憶手段と、炊飯器の動作を制御する炊飯制御部と、ヒータで加熱される鍋の温度を検知する温度検知手段とを備え、加熱時の鍋の温度上昇にかかる時間を元に炊飯量の判定を行う炊飯器において、予め正確な定格電圧を印加した時に流れるヒータ電流値を記憶し、その記憶した電流値と実際に炊飯中に流れるヒータ電流値とを比較し、鍋の温度上昇にかかった時間から炊飯量の判定を行う時にヒータ電流値の比較結果に基づいて補正を行う炊飯器。
【発明の詳細な説明】
【技術分野】
【０００１】
本発明は、炊飯器のヒータ制御方法に関するものである。
【背景技術】
【０００２】
従来、炊飯器は図３に示すように、炊飯容器１１と、炊飯容器を加熱するヒータ１２と、炊飯容器に接するように配置され炊飯容器の温度を検知する温度検知手段１３と、ヒータの通電をＯＮ／ＯＦＦするスイッチ１４と、炊飯制御部１５で構成され、炊飯制御部１５は温度検知手段１３による炊飯容器の温度が予めプログラムされた炊飯曲線に従うように、ヒータの通電をＯＮ／ＯＦＦさせるように構成されている。
【０００３】
また、この種の炊飯器では炊飯制御部が炊飯容器の温度上昇時間を計時し、その時間によって炊飯量を判定する様にしたものがある（特許文献１参照）。
【先行技術文献】
【特許文献】
【０００４】
【特許文献１】特公昭６２−４９０４８号公報
【発明の概要】
【発明が解決しようとする課題】
【０００５】
しかしながら、前記従来の構成では、ヒータの発熱量は一定であると仮定して、炊飯容器の温度上昇時間から炊飯量の判定を行っている。実際のヒータでは、ヒータそのもののばらつきや電源電圧のばらつきによって発熱量は変化するため、同一炊飯量であっても温度上昇時間に変化が生じ、実際の炊飯量から誤った炊飯量を判定し、結果として炊飯性能に影響がでるという課題があった。
【０００６】
本発明は、前記従来の課題を解決するもので、ヒータのばらつきや電源電圧のばらつきがあっても炊飯性能に与える影響を少なくする炊飯器を提供することを目的とする。
【課題を解決するための手段】
【０００７】
上記従来の課題を解決するために、本発明の炊飯器は、ヒータに流れる電流を検知する電流検知手段と、電流検知手段で検知した電流値を記憶する記憶手段と、炊飯器の動作を制御する炊飯制御部と、ヒータで加熱される鍋の温度を検知する温度検知手段を備え、加熱時の鍋の温度上昇にかかる時間を元に炊飯量の判定を行う炊飯器において、予め正確な定格電圧を印加した時に流れるヒータ電流値を記憶し、その記憶した電流値と実際に炊飯中に流れるヒータ電流値とを比較し、鍋の温度上昇にかかった時間から炊飯量の判定を行う時にヒータ電流値の比較結果に基づいて補正を行うものである。
【０００８】
これによって、記憶手段を有し正確な定格電圧を印加した時に流れるヒータ電流値と実際に炊飯中に流れるヒータ電流値とを比較して、鍋の温度上昇にかかった時間から炊飯量の判定を行う時に、ヒータ電流値の比較結果に基づいて補正を行うので、ヒータのばらつきや電源電圧のばらつきがあっても正確な炊飯量判定が可能になる。
【発明の効果】
【０００９】
本発明の炊飯器は、予め正確な電源電圧を印加した時に流れるヒータ電流値と実際に使用しているときに流れるヒータ電流値を比較し、その比較結果に基づいて炊飯量判定の補正を行うことができるため、ヒータのばらつきや電源電圧のばらつきがあっても炊飯性能に与える影響を少なくすることができる。
【図面の簡単な説明】
【００１０】
【図１】本発明の実施の形態における炊飯器を示す図
【図２】本発明の実施の形態における炊飯器の温度上昇時間と炊飯量の関係を示す図
【図３】従来の炊飯器の構成を示す図
【発明を実施するための形態】
【００１１】
第１の発明は、ヒータに流れる電流を検知する電流検知手段と、電流検知手段で検知した電流値を記憶する記憶手段と、炊飯器の動作を制御する炊飯制御部と、ヒータで加熱される鍋の温度を検知する温度検知手段とを備え、加熱時の鍋の温度上昇にかかる時間を元に炊飯量の判定を行う炊飯器において、予め正確な定格電圧を印加した時に流れるヒータ電流値を記憶し、その記憶した電流値と実際に炊飯中に流れるヒータ電流値とを比較し、鍋の温度上昇にかかった時間から炊飯量の判定を行う時にヒータ電流値の比較結果に基づいて補正を行うものであり、これによって、ヒータのばらつきや電源電圧のばらつきがあっても正確な炊飯量判定が可能になるので、炊飯性能に与える影響を少なくすることができる。
【００１２】
以下、本発明の実施の形態について図面を参照しながら説明する。なお、この実施の形態によって本発明が限定されるものではない。
【００１３】
（実施の形態）
図１は、本発明の実施の形態における炊飯器を示す図である。
【００１４】
図１において、炊飯容器１、炊飯容器１を加熱するヒータ２、炊飯容器に接するように配置され炊飯容器の温度を検知する温度検知手段３、ヒータ２の通電をＯＮ／ＯＦＦするスイッチ４、炊飯制御部５、ヒータ導通時にヒータに流れる電流を検知する電流検知手段である電流検知部６、電流検知部６の検知結果を記憶することができる記憶手段７を備えて構成している。
【００１５】
以上のように構成された炊飯器について、以下その動作、作用を説明する。図２は本発明の実施の形態における炊飯器の温度上昇時間と炊飯量の関係を示す図である。
【００１６】
炊飯量判定は、炊飯容器の温度上昇時間を計時し、温度上昇時間が長い場合は炊飯量が多く、逆に短い場合は炊飯量は少ないと判断している。
【００１７】
温度上昇時間は、温度検知手段により炊飯容器の温度がＴａからＴｂ（Ｔａ＜Ｔｂ）（図示せず）に上がる時間を計時し、炊飯量が多い場合は温度上昇時間が長くなり、逆に炊飯量が少ない場合は温度上昇時間が短くなる。
【００１８】
例えば、温度上昇時間が５分だった場合は、炊飯量は３合、６分だった場合は４合というように判定している。
【００１９】
しかしながら、一般的に炊飯器に使用するヒータは、ある程度のばらつきを持っており、ばらつきによって実際に鍋を加熱する加熱量は違いが生じる。ヒータのばらつきにより電力量が変わった場合の炊飯量判定の影響について、図２に基づき説明する。
【００２０】
本来、ヒータ電力が標準の場合、ある炊飯量（Ｗ）に対して温度上昇時間はＴ０となり、炊飯制御部５は、予め温度上昇時間がＴ０の時は炊飯量がＷであるとプログラムされている。
【００２１】
しかしながら、ヒータのばらつきによりヒータ電力量が大きい場合は、炊飯量Ｗに対し、Ｔ１で温度上昇することになり、逆にヒータ電力量が小さい場合は、Ｔ２時間を要することになる。
【００２２】
炊飯制御部５は、先に記載したように温度上昇時間から炊飯量を判定しているため、ヒータ電力量が大きい場合は、炊飯量を少なめに、ヒータ電力量が小さい場合は炊飯量を多めに間違った判定をすることになる。
【００２３】
本実施の形態の炊飯器では、炊飯器の製造工程において正確な定格電圧、例えば１００．０Ｖを印加し、その時にヒータに流れる電流値を記憶手段に記憶し、その記憶した電流値を基準に、炊飯制御部５が実際の炊飯時の電流値との差を演算し、炊飯量判定を補正する。
【００２４】
具体例を挙げて説明する。定格電圧１００Ｖ、定格電力１０００Ｗのヒータの場合、ヒータに流れる定格電流は１０Ａとなる。
【００２５】
また、炊飯制御部はヒータ電力が１０００Ｗであることを前提にプログラムされており、炊飯量判定においては１０００Ｗの加熱量で鍋を加熱したときの温度上昇時間で炊飯量を判定するようになっている。
【００２６】
ここで、従来は、ヒータのばらつきが−１０％あり９００Ｗだった場合は、温度上昇にかかる時間は同じ３合の場合でも１０００Ｗの時に比べ長くかかるため、炊飯量を多めに判断してしまい炊飯性能を低下させる原因となっている。
【００２７】
本実施の形態においては、製造工程において、予め正確な定格電圧１００Ｖを印加し、その時の電流値を記憶させる。
【００２８】
この例では、ヒータのばらつきが−１０％であるため、電流検知部６により検知されるヒータ電流値は９Ａとなり、記憶手段７にこの値を基準値「Ｉｒｅｆ」として記憶する。
【００２９】
実際に炊飯を行うときは、電源電圧もばらつきがあるため、ヒータに流れる電流値は違った値となるため、この時の電流値を「Ｉ」とする。
【００３０】
炊飯制御部は、記憶された基準値「Ｉｒｅｆ」と実際の炊飯時の電流「Ｉ」に基づき、実際の炊飯時のヒータ電力を演算する。
【００３１】
すなわち、実電力値＝１００×Ｉ×Ｉ／Ｉｒｅｆ  として計算することができ、この時の実電力値を「Ｐ」とし、炊飯制御部では定格電力値１０００Ｗと実電力値「Ｐ」との比率によって、鍋の温度上昇時間と炊飯量判定の関係を補正することができる。
【００３２】
一般的には、鍋の温度上昇時間は、ヒータ電力と反比例の関係があり、実電力値「Ｐ」が高い場合は温度上昇時間は短くなる。
【００３３】
炊飯制御部５は、実際に計時した温度上昇時間「Ｔ」に対して、Ｔ１＝Ｔ×Ｐ／１０００を演算し、Ｔ１に基づいて炊飯量を判定することで、電源電圧やヒータのばらつきがあっても正確な炊飯量判定が可能になる。
【００３４】
以上のように、本実施の形態においては、ヒータに流れる電流を検知する電流検知手段と、電流検知手段で検知した電流値を記憶する記憶手段と、炊飯器の動作を制御する炊飯制御部と、ヒータで加熱される鍋の温度を検知する温度検知手段とを備え、加熱時の鍋の温度上昇にかかる時間を元に炊飯量の判定を行う炊飯器において、予め正確な定格電圧を印加した時に流れるヒータ電流値を記憶し、その記憶した電流値と実際に炊飯中に流れるヒータ電流値とを比較し、鍋の温度上昇にかかった時間から炊飯量の判定を行う時にヒータ電流値の比較結果に基づいて補正を行うことにより、ヒータのばらつきや電源電圧のばらつきがあっても正確な炊飯量判定が可能になり、炊飯性能に与える影響を少なくすることができる。
【産業上の利用可能性】
【００３５】
以上のように、本発明にかかる炊飯器は、炊飯器のみならず、ヒータの加熱量を一定に保つ必要のある調理機器の用途に有用である。
【符号の説明】
【００３６】
１、１１  炊飯容器
２、１２  ヒータ
３、１３  温度検知手段
４、１４  スイッチ
５、１５  炊飯制御部
６  電流検知部（電流検知手段）
７  記憶手段
【図１】
2013255542.tif 000003
【図２】
2013255542.tif 000004
【図３】
2013255542.tif 000005